(57)【要約】【課題】  ＰＣ３のホストコントローラ３ＡからＤＡＰ２に充電コマンドが送信されない場合でも、ＤＡＰ２を充電すること。【解決手段】  ＤＡＰ２は、ホストコントローラからコマンドを受信しているとき充電動作を実行し、ホストコントローラからコマンドを受信していないとき充電動作を実行しない。スイッチ１Ｅがコネクタ１Ｊとホストコントローラ１Ｂとを接続するとき、ホストコントローラ１ＢがＤＡＰ２にコマンドを送信することにより、ＤＡＰ２を充電させる。スイッチ１Ｅがコネクタ１Ｊとハブ１Ｃとを接続するとき、ＰＣ３のホストコントローラ３ＡがＤＡＰ２にコマンドを送信することにより、ＤＡＰ２を充電させる。【選択図】図２
2011040030.tif 000002
【特許請求の範囲】
【請求項１】
コントローラからコマンドを受信しているとき充電動作を実行し、コントローラから前記コマンドを受信していないとき充電動作を実行しない携帯型コンテンツ再生装置に充電用の電源電圧を供給するクレードルであって、
前記携帯型コンテンツ再生装置が接続可能な第１接続部と、
第２コントローラを備えるコンピュータが接続可能な第２接続部と、
コンテンツデータを出力する出力部と、
前記携帯型コンテンツ再生装置を制御する第１コントローラと、
前記第２接続部、第１スイッチ及び第２スイッチに接続されているハブと、
前記第１接続部と前記第１コントローラとを接続するか、又は、前記第１接続部と前記ハブとを接続するかを切り換える前記第１スイッチと、
前記出力部と前記第１コントローラとを接続するか、又は、前記出力部と前記ハブとを接続するかを切り換える前記第２スイッチと、
前記第１スイッチ及び前記第２スイッチを切り換え制御するスイッチ制御部とを備え、
前記スイッチ制御部が前記第１スイッチに前記第１接続部と前記第１コントローラとを接続させるとき、前記第１コントローラが前記携帯型コンテンツ再生装置に前記コマンドを送信し、
前記スイッチ制御部が前記第１スイッチに前記第１接続部と前記ハブとを接続させるとき、前記第２コントローラが前記携帯型コンテンツ再生装置に前記コマンドを送信する、クレードル。
【請求項２】
前記ハブが、前記携帯型コンテンツ再生装置および前記コンピュータが前記ハブに接続されていることを検出しているときに発光素子を発光制御するための発光制御信号を出力し、
前記スイッチ制御部が、前記ハブから出力される発光制御信号に基づいて、前記携帯型コンテンツ再生装置および前記コンピュータが前記ハブに接続されているか否かを判断し、接続されていないと判断した場合に、前記第１スイッチに前記第１接続部と前記第１コントローラとを接続させる、請求項１に記載のクレードル。
【請求項３】
前記ハブから出力される発光制御信号がＰＷＭ信号であり、
前記発光制御信号を積分し、前記携帯型コンテンツ再生装置および前記コンピュータが前記ハブに接続されているときに第１レベルであり、前記携帯型コンテンツ再生装置および／または前記コンピュータが前記ハブに接続されていないときに第２レベルである制御信号を生成し、前記スイッチ制御部に供給する積分回路をさらに備え、
前記スイッチ制御部が、前記積分回路から供給される制御信号に基づいて、前記携帯型コンテンツ再生装置および前記コンピュータが前記ハブに接続されているか否かを判断する、請求項２に記載のクレードル。
【請求項４】
前記携帯型コンテンツ再生装置からのコンテンツデータを受信し前記出力部から出力する場合、前記スイッチ制御部が、前記第１スイッチに前記第１接続部と前記第１コントローラとを接続させ、かつ、前記第２スイッチに前記出力部と前記第１コントローラとを接続させ、
前記コンピュータからのコンテンツデータを受信し前記出力部から出力する場合、前記スイッチ制御部が、前記第２スイッチに前記出力部と前記ハブとを接続させ、
前記コンピュータからのコンテンツファイルを前記携帯型コンテンツ再生装置に転送し記録させる場合、前記スイッチ制御部が、前記第１スイッチに前記第１接続部と前記ハブとを接続させる、請求項１〜３のいずれかに記載のクレードル。
【請求項５】
前記第２接続部に前記コンピュータが接続されている否かを判断する接続判断手段をさらに備え、
前記コンピュータからのコンテンツファイルを前記携帯型コンテンツ再生装置に転送し記録させる指示が入力されたとき、前記第２接続部に前記コンピュータが接続されていないと判断された場合、前記スイッチ制御部が、前記第１スイッチに前記第１接続部と前記ハブとを接続させない、請求項１〜４のいずれかに記載のクレードル。
【請求項６】
コントローラからコマンドを受信しているとき充電動作を実行し、コントローラから前記コマンドを受信していないとき充電動作を実行しない携帯型コンテンツ再生装置に充電用の電源電圧を供給するクレードルであって、
前記携帯型コンテンツ再生装置が接続可能な第１接続部と、
第２コントローラを備えるコンピュータが接続可能な第２接続部と、
前記携帯型コンテンツ再生装置を制御する第１コントローラと、
前記第１接続部と前記第１コントローラとを接続するか、又は、前記第１接続部と前記第２接続部とを接続するかを切り換える前記第１スイッチと、
前記第１スイッチを切り換え制御するスイッチ制御部とを備え、
前記スイッチ制御部が前記第１スイッチに前記第１接続部と前記第１コントローラとを接続させるとき、前記第１コントローラが前記携帯型コンテンツ再生装置に前記コマンドを送信し、
前記スイッチ制御部が前記第１スイッチに前記第１接続部と前記第２接続部とを接続させるとき、前記第２コントローラが前記携帯型コンテンツ再生装置に前記コマンドを送信する、クレードル。
【発明の詳細な説明】
【技術分野】
【０００１】
本発明は、携帯型コンテンツ再生装置用クレードルに関する。
【背景技術】
【０００２】
ＰＣや携帯型コンテンツ再生装置（以下、ＤＡＰという。）は、ＨＤＤ等の記録媒体を備え、ＨＤＤ内にオーディオファイルを記録し、ＨＤＤに記録されているオーディオファイルを再生することができる。（１）ＰＣに記録されたオーディオファイルを再生し、オーディオを聴く場合、ユーザ作業によりＰＣを増幅装置に接続する。ＰＣはオーディオファイルをデコードし、オーディオデータを増幅装置に送信し、増幅装置によって音声が再生される。（２）ＰＣに記録されたオーディオファイルをＤＡＰに転送して記録する場合、ユーザ作業によりＰＣとＤＡＰとをＵＳＢケーブルを介して接続する。ＰＣはＨＤＤに記録されたオーディオファイルをＤＡＰに転送し、ＤＡＰは転送されたオーディオファイルをＨＤＤに記録する。（３）ＤＡＰに記録されたオーディオファイルを再生し、オーディオを聴く場合、ユーザ作業によりＤＡＰをクレードルに接続し、クレードルを増幅装置に接続する（例えば、下記特許文献１）。ＤＡＰはオーディオファイルをデコードし、オーディオデータをクレードルを介して増幅装置に送信し、増幅装置によって音声が再生される。上記の（１）〜（３）の各動作を実行するためには、その都度、ユーザ作業によってＰＣ、ＤＡＰ、クレードル及び増幅装置を接続および接続解除する必要があり、その作業が非常に煩雑である。
【０００３】
一方、ＤＡＰは、ＰＣやクレードルにＵＳＢ経由で接続され、ＰＣやクレードルから充電用電圧が供給されることにより、バッテリを充電する。ＤＡＰの中には、ＵＳＢのデータラインＤ＋、Ｄ−を介してホストコントローラから充電コマンドが所定時間間隔で供給されているときに充電用電圧によりバッテリを充電し、ホストコントローラから充電コマンドが所定時間間隔で供給されていないときにバッテリを充電しないものがある。従って、ＰＣの電源がオフ状態にされると、充電用電圧はＰＣからＤＡＰに供給されているものの、ＰＣからＤＡＰに充電コマンドが供給されなくなるので、ＤＡＰはバッテリを充電できないという問題がある。
【先行技術文献】
【特許文献】
【０００４】
【特許文献１】特開２００６−２４４６０７号公報
【特許文献２】特開２００７−６８３３３号公報
【発明の概要】
【発明が解決しようとする課題】
【０００５】
本発明の目的は、コンピュータのホストコントローラから携帯型コンテンツ再生装置にコマンドが送信されない場合でも、携帯型コンテンツ再生装置を充電することができる携帯型コンテンツ再生装置のクレードルを提供することである。
【課題を解決するための手段】
【０００６】
本発明の好ましい実施形態によるクレードルは、コントローラからコマンドを受信しているとき充電動作を実行し、コントローラからコマンドを受信していないとき充電動作を実行しない携帯型コンテンツ再生装置に充電用の電源電圧を供給するクレードルであって、前記携帯型コンテンツ再生装置が接続可能な第１接続部と、第２コントローラを備えるコンピュータが接続可能な第２接続部と、コンテンツデータを出力する出力部と、前記携帯型コンテンツ再生装置を制御する第１コントローラと、前記第２接続部、第１スイッチ及び第２スイッチに接続されているハブと、前記第１接続部と前記第１コントローラとを接続するか、又は、前記第１接続部と前記ハブとを接続するかを切り換える前記第１スイッチと、前記出力部と前記第１コントローラとを接続するか、又は、前記出力部と前記ハブとを接続するかを切り換える前記第２スイッチと、前記第１スイッチ及び前記第２スイッチを切り換え制御するスイッチ制御部とを備え、前記スイッチ制御部が前記第１スイッチに前記第１接続部と前記第１コントローラとを接続させるとき、前記第１コントローラが前記携帯型コンテンツ再生装置にコマンドを送信し、前記スイッチ制御部が前記第１スイッチに前記第１接続部と前記ハブとを接続させるとき、前記第２コントローラが前記携帯型コンテンツ再生装置にコマンドを送信する。
【０００７】
第１スイッチが第１接続部と第１コントローラとを接続するとき、携帯型コンテンツ再生装置はコンピュータと接続されなくなるが、クレードル内の第１コントローラと接続される。従って、第１コントローラが携帯型コンテンツ再生装置にコマンドを送信することによって、携帯型コンテンツ再生装置は充電を実行することができる。一方、第１スイッチが第１接続部とハブとを接続するとき、携帯型コンテンツ再生装置は第１コントローラと接続されなくなるが、コンピュータ内の第２コントローラと接続される。従って、第２コントローラが携帯型コンテンツ再生装置にコマンドを送信することによって、携帯型コンテンツ再生装置は充電を実行することができる。
【０００８】
好ましい実施形態においては、前記ハブが、前記携帯型コンテンツ再生装置および前記コンピュータが前記ハブに接続されていることを検出しているときに発光素子を発光制御するための発光制御信号を出力し、前記スイッチ制御部が、前記ハブから出力される発光制御信号に基づいて、前記携帯型コンテンツ再生装置および前記コンピュータが前記ハブに接続されているか否かを判断し、接続されていないと判断した場合に、前記第１スイッチに前記第１接続部と前記第１コントローラとを接続させる。
【０００９】
ハブが、携帯型コンテンツ再生装置およびコンピュータがハブに接続されていることを検出し、その旨をスイッチ制御部に通知する場合に、発光制御信号を利用することによって、ハブから別途スイッチ制御部に通知する専用の信号を出力する必要がない。従って、ハブの構成を簡素化することができる。
【００１０】
好ましい実施形態においては、前記ハブから出力される発光制御信号がＰＷＭ信号であり、前記発光制御信号を積分し、前記携帯型コンテンツ再生装置および前記コンピュータが前記ハブに接続されているときに第１レベルであり、前記携帯型コンテンツ再生装置および／または前記コンピュータが前記ハブに接続されていないときに第２レベルである制御信号を生成し、前記スイッチ制御部に供給する積分回路をさらに備え、前記スイッチ制御部が、前記積分回路から供給される制御信号に基づいて、前記携帯型コンテンツ再生装置および前記コンピュータが前記ハブに接続されているか否かを判断する。
【００１１】
スイッチ制御部はＰＷＭ信号が入力されても、携帯型コンテンツ再生装置およびコンピュータがハブに接続されているか否かを判断することができない。そこで、積分回路がＰＷＭ信号を積分し、ハイレベル又はローレベルの信号を生成することにより、スイッチ制御部は、ハイレベル又はローレベルの信号に基づいて、携帯型コンテンツ再生装置およびコンピュータがハブに接続されているか否かを判断することができる。
【００１２】
好ましい実施形態においては、前記携帯型コンテンツ再生装置からのコンテンツデータを受信し前記出力部から出力する場合、前記スイッチ制御部が、前記第１スイッチに前記第１接続部と前記第１コントローラとを接続させ、かつ、前記第２スイッチに前記出力部と前記第１コントローラとを接続させ、前記コンピュータからのコンテンツデータを受信し前記出力部から出力する場合、前記スイッチ制御部が、前記第２スイッチに前記出力部と前記ハブとを接続させ、前記コンピュータからのコンテンツファイルを前記携帯型コンテンツ再生装置に転送し記録させる場合、前記スイッチ制御部が、前記第１スイッチに前記第１接続部と前記ハブとを接続させる。
【００１３】
携帯型コンテンツ再生装置からのコンテンツデータを出力部から出力する場合、第１スイッチが第１接続部とコントローラとを接続し、かつ、第２スイッチが出力部とコントローラとを接続する。従って、携帯型コンテンツ再生装置からのコンテンツデータは、第１接続部、第１スイッチ、コントローラ、第２スイッチを介して出力部から出力される。コンピュータからのコンテンツデータを出力部から出力する場合、第２スイッチが出力部とハブとを接続する。従って、コンピュータからのコンテンツデータは、第２接続部、ハブ、第２スイッチを介して出力部から出力される。コンピュータからのコンテンツファイルを携帯型コンテンツ再生装置に転送し記録させる場合、第１スイッチが第１接続部とハブとを接続する。従って、コンピュータからのコンテンツファイルは、第２接続部、ハブ、第１スイッチ、第１接続部を介して携帯型コンテンツ再生装置に転送され、記録される。このように、ユーザの作業によって複数の機器を接続および接続解除する必要がない。
【００１４】
好ましい実施形態においては、前記第２接続部に前記コンピュータが接続されている否かを判断する接続判断手段をさらに備え、前記コンピュータからのコンテンツファイルを前記携帯型コンテンツ再生装置に転送し記録させる指示が入力されたとき、前記第２接続部に前記コンピュータが接続されていないと判断された場合、前記スイッチ制御部が、前記第１スイッチに前記第１接続部と前記ハブとを接続させない。
【００１５】
第２接続部にコンピュータが接続されていない場合に、第１スイッチが第１接続部とハブとを接続すると、第１コントローラおよび第２コントローラから携帯型コンテンツ再生装置にコマンドを送信できなくなり、携帯型コンテンツ再生装置を充電できなくなるが、本例ではこの問題を解決できる。
【００１６】
本発明の別の好ましい実施形態によるクレードルは、コントローラからコマンドを受信しているとき充電動作を実行し、コントローラから前記コマンドを受信していないとき充電動作を実行しない携帯型コンテンツ再生装置に充電用の電源電圧を供給するクレードルであって、前記携帯型コンテンツ再生装置が接続可能な第１接続部と、第２コントローラを備えるコンピュータが接続可能な第２接続部と、前記携帯型コンテンツ再生装置を制御する第１コントローラと、前記第１接続部と前記第１コントローラとを接続するか、又は、前記第１接続部と前記第２接続部とを接続するかを切り換える前記第１スイッチと、前記第１スイッチを切り換え制御するスイッチ制御部とを備え、前記スイッチ制御部が前記第１スイッチに前記第１接続部と前記第１コントローラとを接続させるとき、前記第１コントローラが前記携帯型コンテンツ再生装置に前記コマンドを送信し、前記スイッチ制御部が前記第１スイッチに前記第１接続部と前記第２接続部とを接続させるとき、前記第２コントローラが前記携帯型コンテンツ再生装置に前記コマンドを送信する。
【００１７】
第１スイッチが第１接続部と第１コントローラとを接続するとき、携帯型コンテンツ再生装置はコンピュータと接続されなくなるが、クレードル内の第１コントローラと接続される。従って、第１コントローラが携帯型コンテンツ再生装置にコマンドを送信することによって、携帯型コンテンツ再生装置は充電を実行することができる。一方、第１スイッチが第１接続部と第２接続部とを接続するとき、携帯型コンテンツ再生装置は第１コントローラと接続されなくなるが、コンピュータ内の第２コントローラと接続される。従って、第２コントローラが携帯型コンテンツ再生装置にコマンドを送信することによって、携帯型コンテンツ再生装置は充電を実行することができる。
【００１８】
本発明の好ましい実施形態による接続検出方法は、ハブが、携帯型コンテンツ再生装置およびコンピュータが前記ハブに接続されていることを検出しているときに、発光素子を発光制御するための発光制御信号を出力するステップと、前記発光制御信号を積分し、前記携帯型コンテンツ再生装置および前記コンピュータが前記ハブに接続されているときに第１レベルであり、前記携帯型コンテンツ再生装置および／または前記コンピュータが前記ハブに接続されていないときに第２レベルである制御信号を生成するステップと、前記制御信号が第１レベルであるときに、前記携帯型コンテンツ再生装置および前記コンピュータが前記ハブに接続されていると判断し、前記制御信号が第２レベルであるときに、前記携帯型コンテンツ再生装置および／または前記コンピュータが前記ハブに接続されていると判断するステップとを含む。
【００１９】
ハブが、携帯型コンテンツ再生装置およびコンピュータがハブに接続されていることを検出し、その旨をスイッチ制御部に通知する場合に、発光制御信号を利用することによって、ハブから別途スイッチ制御部に通知する専用の信号を出力する必要がない。従って、ハブの構成を簡素化することができる。
【発明の効果】
【００２０】
本発明によると、コンピュータのホストコントローラから携帯型コンテンツ再生装置にコマンドが送信されない場合でも、携帯型コンテンツ再生装置を充電することができる携帯型コンテンツ再生装置のクレードルを提供することができる。
【図面の簡単な説明】
【００２１】
【図１】本発明のクレードル１等を示すブロック図である。
【図２】クレードル１等のハードウェアを示すブロック図である。
【図３】クレードル１の外観図である。
【図４】マイコン１Ａ、ハブ１Ｃ及び積分回路を示す回路図である。
【図５】図４におけるＡ点波形およびＢ点波形を示す図である。
【図６】図４におけるＡ点波形およびＢ点波形を示す図である。
【図７】図４におけるＣ点波形およびＤ点波形を示す図である。
【図８】図４におけるＣ点波形およびＤ点波形を示す図である。
【図９】マイコン１Ａの処理を示すフローチャートである。
【図１０】マイコン１Ａの処理を示すフローチャートである。
【図１１】マイコン１Ａの処理を示すフローチャートである。
【図１２】本発明の別の実施例のクレードル１等を示すブロック図である。
【図１３】本発明の別の実施例のクレードル１等を示すブロック図である。
【発明を実施するための形態】
【００２２】
以下、本発明の好ましい実施形態について、図面を参照して具体的に説明するが、本発明はこれらの実施形態には限定されない。図１は、本実施形態によるクレードル１、携帯型コンテンツ再生装置（以下、ＤＡＰ(Digital Audio Player)という。）２、コンピュータ（以下ＰＣとする）３、増幅装置４、およびリモコン送信機５，６を示す図である。クレードル１には、ＵＳＢ（Universal Serial Bus）等の任意の通信ラインを介してＤＡＰ２およびＰＣ３が接続可能である。なお、ＵＳＢの代わりにＩＥＥＥ１３９４やＨＤＭＩ等が採用されてもよい。クレードル１は、デジタルオーディオケーブル及び制御信号ケーブルを介して増幅装置４に接続可能である。
【００２３】
クレードル１は、ＤＡＰ２に直流電源電圧を供給することにより、ＤＡＰ２にバッテリを充電させる。ＤＡＰ２は、ホストコントローラからＵＳＢを介して充電コマンドを所定時間間隔で受信している時にバッテリに充電を実行し、ホストコントローラからＵＳＢを介して充電コマンドを受信していない時にバッテリに充電を実行しない。従って、クレードル１は、ＤＡＰ２を継続的に充電するために、ホストコントローラからＤＡＰ２に充電コマンドを所定時間間隔で送信し続けなければならない。
【００２４】
ＤＡＰ２およびＰＣ３は、各々が内蔵するＨＤＤやフラッシュメモリ等の記録媒体に記録されたオーディオファイルを再生（デコード）し、オーディオデータをＵＳＢ経由でクレードル１に送信する。クレードル１は、ＤＡＰ２またはＰＣ３から受信したオーディオデータを増幅装置４に送信する。増幅装置４はクレードル１から受信したオーディオデータを再生（ＤＡ変換および増幅）し、外部接続された図示しないスピーカーから音声を出力する。ＰＣ３は、自身のＨＤＤに記録されているオーディオファイルをクレードル１に転送し、クレードル１はＰＣ３からのオーディオファイルをＤＡＰ２に転送し、ＤＡＰ２は転送されたオーディオファイルを自身のＨＤＤに記録する（この処理を同期と呼ぶ場合がある）。
【００２５】
増幅装置４は、ユーザ操作に応じてリモコン送信機５からリモコン信号を受信すると、クレードル１に制御信号（例えば、ＤＡＰ２を再生開始させる制御信号）を送信する。クレードル１は、増幅装置４から制御信号を受信すると、ＤＡＰ２を制御する制御信号に変換し、ＤＡＰ２に送信し、ＤＡＰ２を制御する。クレードル１は、ユーザ操作に応じて、リモコン送信機６からリモコン信号を受信する、又は、クレードル１に設けられた操作部が操作されると、制御信号をＤＡＰ２に送信し、ＤＡＰ２を制御する。
【００２６】
図２は、クレードル１等のハードウェアを示す概略ブロック図である。図３は、クレードル１の外観図である。クレードル１は、マイコン（スイッチ制御手段）１Ａと、ホストコントローラ１Ｂと、ＵＳＢハブ（以下、ハブという。）１Ｃと、オーディオ処理部１Ｄと、スイッチ１Ｅ，１Ｆと、電源部１Ｇと、リモコン受信部１Ｈと、操作部１Ｉと、コネクタ（第１接続部）１Ｊと、ＵＳＢ端子（第２接続部）１Ｋと、デジタルオーディオ出力端子（以下、出力端子という。）１Ｌと、制御信号入出力端子１Ｍとを備える。
【００２７】
マイコン１Ａは、図示しないメモリに格納されたプログラムに基づいてクレードル１全体を制御する。マイコン１Ａは、操作部１Ｉのユーザ操作、リモコン受信部１Ｈに入力されるリモコン信号、増幅装置４から受信する制御信号、および、ＤＡＰ２やＰＣ３の接続状態等に応じて、スイッチ１Ｅ、１Ｆを切り換え制御する。マイコン１Ａは、ＰＣ３からＵＳＢ経由でＶＢＵＳ(５Ｖ直流電圧)が供給される。マイコン１Ａは、ＶＢＵＳの供給有無を判断する。ＶＢＵＳが供給されていれば、ＰＣ３がＵＳＢ端子１Ｋに接続され、かつ、ＰＣ３が電源オン状態であることが判断される。ＶＢＵＳが供給されていなければ、ＰＣ３がＵＳＢ端子１Ｋに接続されていない、または、ＰＣ３が電源オフ状態であることが判断される。
【００２８】
マイコン１Ａは、ＤＡＰ２からコネクタ１Ｊを介して、接続検出信号が供給される。例えば、接続検出信号がローレベルであれば、ＤＡＰ２がコネクタ１Ｊに接続されていることが判断され、ハイレベルであれば、ＤＡＰ２がコネクタ１Ｊに接続されていないことが判断される。
【００２９】
ホストコントローラ１Ｂは、ＵＳＢ経由でＤＡＰ２と通信し、ＤＡＰ２を制御する。ホストコントローラ１Ｂは、ＤＡＰ２に充電コマンドを所定時間間隔で送信し、ＤＡＰ２にバッテリを充電させる。従って、ＰＣ３がＵＳＢ端子１Ｋに接続されていない、又は、ＰＣ３が電源オフ状態である、又は、ＤＡＰ２からのオーディオデータを増幅装置４に送信するためにスイッチ１Ｅがコネクタ１Ｊとホストコントローラ１Ｂとを接続している等の理由で、ＰＣ３のホストコントローラ３ＡがＤＡＰ２に充電コマンドを送信できない場合に、ホストコントローラ１ＢがＤＡＰ２に充電コマンドを送信することにより、ＤＡＰ２を充電させることができる。
【００３０】
ホストコントローラ１Ｂは、スイッチ１Ｅ、１Ｆと、マイコン１Ａとに接続されている。ホストコントローラ１Ｂは、マイコン１Ａからの制御信号をＤＡＰ２に送信し、ＤＡＰ２を制御する。ホストコントローラ１Ｂは、ＤＡＰ２からオーディオデータを受信し、スイッチ１Ｆに供給する。
【００３１】
ハブ１Ｃは、ホスト側（上流側）であるＰＣ３に、ＵＳＢを介してスレーブ側（下流側）であるＤＡＰ２およびオーディオ処理部１Ｄを並列に接続させる。つまり、ハブ１Ｃは、ＰＣ３がＵＳＢを介して接続可能な上流側のＵＳＢ端子１Ｋに、ＤＡＰ２がＵＳＢを介して接続可能な下流側のコネクタ１Ｊと、下流側のＵＳＢデバイスであるオーディオ処理部１Ｄとをクレードル１内部で接続している。ハブ１Ｃは、スイッチ１Ｅと、ＵＳＢ端子１Ｋと、オーディオ処理部１Ｄとに接続されている。
【００３２】
ハブ１Ｃは、一般的な機能として、ホスト側およびスレーブ側にＵＳＢデバイスが接続され、ホスト側のＵＳＢデバイスとスレーブ側のＵＳＢデバイスとが通信可能か否かを検出する機能を有している。つまり、ハブ１Ｃは、スレーブ側にＤＡＰ２が接続され、かつ、ホスト側に電源オン状態であるＰＣ３が接続され、ＰＣ３のホストコントローラ３ＡがＤＡＰ２と通信可能であるか否かを検出する。ハブ１Ｃは、ＤＡＰ２及び電源オン状態であるＰＣ３が接続されたことを検出すると、発光素子（以下、ＬＥＤとする。）を発光制御し（例えば点灯させ）、ユーザにその旨を告知する。一方、ハブ１Ｃは、ＤＡＰ２及び／又はＰＣ３が接続されていないことを検出すると、ＬＥＤを点灯させない。
【００３３】
詳細には、図４に示すように、ハブ１Ｃの出力端子１ＣａはＬＥＤ３１のアノードに接続され、出力端子１Ｃｂは抵抗Ｒ１を介してＬＥＤ３１のカソードに接続されている。出力端子１Ｃａおよび１Ｃｂからは、ＬＥＤ３１を点灯または消灯するためのＰＷＭ信号（発光制御信号）が出力されている。図５は、ハブ１ＣにＤＡＰ２及び／又はＰＣ３が接続されていない場合の、Ａ点およびＢ点の波形を示す。図５においては、Ａ点の平均電圧とＢ点の平均電圧との電位差が−０．１Ｖであり、ＬＥＤ３１はオフ状態となるので、ＬＥＤ３１は点灯しない。図６は、ハブ１ＣにＤＡＰ２及び電源オン状態であるＰＣ３が接続されている場合の、Ａ点およびＢ点の波形を示す。図６においては、Ａ点の平均電圧とＢ点の平均電圧との電位差が１．０８Ｖであり、ＬＥＤ３１はオン状態となるので、ＬＥＤ３１は点灯する。
【００３４】
本例では、ハブ１Ｃの出力端子１Ｃｂから出力されるＰＷＭ信号（Ｃ点波形）を使用して、ハブ１ＣにＤＡＰ２及び電源オン状態であるＰＣ３が接続されているか否かの情報をマイコン１Ａに通知する。従って、ハブ１ＣにＤＡＰ２及び電源オン状態であるＰＣ３が接続されているか否かの情報をマイコン１Ａに通知する専用の信号をハブ１Ｃから別途出力する必要がない。従って、ハブ１Ｃの出力端子数を削減でき、ハブ１Ｃの構成を簡素化することができる。
【００３５】
詳細には、図４に示すように、ハブ１Ｃの出力端子１Ｃｂとマイコン１Ａの入力端子１Ａａとの間に、積分回路３２が接続されている。積分回路３２は、抵抗Ｒ２，Ｒ３、コンデンサＣ１を含む。抵抗Ｒ２の一端は出力端子１Ｃｂに接続され、かつ、抵抗Ｒ３を介して接地電位に接続されている。抵抗Ｒ２の他端は、コンデンサＣ１を介して接地電位に接続され、かつ、マイコン１Ａの入力端子１Ａａに接続されている。出力端子１Ｃｂから出力されるＰＷＭ信号は、積分回路３２によって積分され、ハイレベル又はローレベルの信号が生成され、マイコン１Ａの入力端子１Ａａに供給される。
【００３６】
マイコン１Ａは、ハブ１Ｃの出力端子１Ｃｂから出力されるＰＷＭ信号を検出することができない。そこで、ＰＷＭ信号が積分回路３２によって積分されることにより、ＰＷＭ信号がハイレベルの信号またはローレベルの信号に変換されて、マイコン１Ａに供給される。図７は、ハブ１ＣにＤＡＰ２及び／又はＰＣ３が接続されていない場合の、Ｃ点およびＤ点の波形を示す。この場合、マイコン１Ａにローレベルの信号が供給されることによって、マイコン１Ａは、ハブ１ＣにＤＡＰ２及び／又はＰＣ３が接続されていないことを判断することができる。図８は、ハブ１ＣにＤＡＰ２及び電源オン状態のＰＣ３が接続されている場合の、Ｃ点およびＤ点の波形を示す。この場合、マイコン１Ａにハイレベルの信号が供給されることによって、マイコン１Ａは、ハブ１ＣにＤＡＰ２及び電源オン状態のＰＣ３が接続されていることを判断することができる。
【００３７】
マイコン１Ａは、ローレベルの信号が入力され、ハブ１ＣにＤＡＰ２及び／又はＰＣ３が接続されていないことを判断すると、スイッチ１Ｅにコネクタ１Ｊとホストコントローラ１Ｅとを接続させる。従って、ＰＣ３が電源オフ状態、又は、ＰＣ３が接続されていない等の理由で、ホストコントローラ３ＡからＤＡＰ２に充電コマンドを送信できない場合には、ホストコントローラ１ＢをＤＡＰ２に接続させ、ホストコントローラ１ＢからＤＡＰ２に充電コマンドを送信させることにより、ＤＡＰ２を充電させることができる。
【００３８】
オーディオ処理部１Ｄは、ハブ１Ｃに対する下流側デバイスである。オーディオ処理部１Ｄは、ＰＣ３からのオーディオデータがハブ１Ｃを介して供給され、オーディオデータを所定の形式（例えばＳＰＤＩＦ）に変換し、スイッチ１Ｆに供給する。オーディオ処理部１Ｄは、ＵＳＢオーディオＤＡＣ等が採用され、ハブ１Ｃとスイッチ１Ｆとの間に接続されている。ハブ１Ｃにはオーディオ処理部１Ｄが常時接続された状態であるので、ハブ１Ｃに接続されているＰＣ３は、オーディオ処理部１Ｄを常時認識している。従って、ＤＡＰ２からのオーディオデータを増幅装置４に出力する状態から、ＰＣ３からのオーディオデータを増幅装置４に出力する状態に切り換えられた際に、ＰＣ３が改めてオーディオ処理部１Ｄを認識し直す必要がなく、直ぐにＰＣ３からのオーディオデータを増幅装置４に出力することができる。
【００３９】
スイッチ１Ｅは、コネクタ１Ｊとホストコントローラ１Ｂとを接続させるか、又は、コネクタ１Ｊとハブ１Ｃとを接続させるかをマイコン１Ａからの指示に基づいて切り換える。スイッチ１Ｅは、例えば、ＵＳＢ２．０対応高速バススイッチ等が採用される。スイッチ１Ｆは、出力端子１Ｌとホストコントローラ１Ｂとを接続させるか、又は、出力端子１Ｌとオーディオ処理部１Ｄとを接続させるかをマイコン１Ａからの指示に基づいて切り換える。
【００４０】
電源部１Ｇは、図３に示す電源コネクタから商用交流電源が供給され、商用交流電源から直流電源電圧を生成し、クレードル１の各部に供給し、かつ、コネクタ１Ｊを介してＤＡＰ２に供給する。ＤＡＰ２に供給された直流電源電圧は、ＤＡＰ２がバッテリを充電するために使用される。
【００４１】
リモコン受信部１Ｈは、クレードル１用のリモコン送信機６からリモコン信号を受信し、マイコン１Ａに制御信号を供給する。
【００４２】
操作部１Ｉは、ユーザ操作に基づく指示を受け付けるものである。操作部１Ｉは、オーディオセレクタスイッチであるＤＡＰボタン２１及びＰＣボタン２２と、ＲＥＣボタン２３と、電源ボタン２４とを含む。ＤＡＰボタン２１は、クレードル１がＤＡＰ２からのオーディオデータを受信し、増幅装置４へと出力する状態（以下、ＤＡＰ再生状態という。）に切り換えるためのボタンである。ＰＣボタン２２は、クレードル１がＰＣ３からのオーディオデータを受信し、増幅装置４へと出力する状態（以下、ＰＣ再生状態という。）に切り換えるためのボタンである。ＲＥＣボタン２３は、クレードル１がＰＣ３からのオーディオファイルをＤＡＰ２に転送し、ＤＡＰ２にオーディオファイルを記録させる状態（以下、記録動作状態という。）に切り換えるためのボタンである。また、ＲＥＣボタン２３は、記録動作状態を解除するためのボタンでもある。電源ボタン２４は、クレードル１を電源オン状態またはスタンバイ状態に切り換えるボタンである。これらのボタンはリモコン送信機６にも設けられている。
【００４３】
コネクタ１Ｊは、ＤＡＰ２のコネクタと接続可能である。コネクタ１Ｊは、ＵＳＢ端子（データラインＤ＋，Ｄ−及び５Ｖ電源ラインの各端子）、及び、ＤＡＰ２から接続検出信号を受信する端子を含む。コネクタ１Ｊは、マイコン１Ａ、スイッチ１Ｅおよび電源部１Ｇに接続されている。
【００４４】
ＵＳＢ端子１Ｋは、ＵＳＢを介してＰＣ３が接続可能である。ＵＳＢ端子１Ｋは、ハブ１Ｃに接続されている。出力端子１Ｌは、スイッチ１Ｆに接続されており、増幅装置４のデジタルオーディオ入力端子が接続可能である。出力端子１Ｌは、スイッチ１Ｆから供給されるオーディオデータを増幅装置４に出力する。
【００４５】
制御信号入出力端子１Ｍは、マイコン１Ａに接続されており、増幅装置４に制御信号ラインを介して接続可能である。増幅装置４は、増幅装置４用のリモコン送信機５からのリモコン信号を受信すると、制御信号を制御信号入出力端子１Ｍに送信する。制御信号入出力端子１Ｍは、増幅装置４からの制御信号を受信し、マイコン１Ａに供給する。マイコン１Ａは、制御信号を制御信号入出力端子１Ｍを介して増幅装置４に送信する。
【００４６】
ＤＡＰ２は、ＨＤＤ２Ａおよび再生部２Ｂ等を備える。再生部２Ｂは、ＨＤＤに記録されたオーディオファイルを再生し、クレードル１にオーディオデータを出力する。ＰＣ３は、ホストコントローラ３ＡおよびＨＤＤ３Ｂ等を備える。ＤＡＰ２およびＰＣ３自体は一般的なものが採用されるとよい。
【００４７】
以下、クレードル１の動作を説明する。図９は、ＤＡＰ再生状態とＰＣ再生状態とを切り換えるマイコン１Ａの動作を示す。マイコン１Ａは、スイッチ１Ｅ、１Ｆの初期状態として、スイッチ１Ｅにコネクタ１Ｊとホストコントローラ１Ｂとを接続させ、スイッチ１Ｆにホストコントローラ１Ｂと出力端子１Ｌとを接続させる。つまり、マイコン１Ａは、初期状態として、ＤＡＰ再生状態に設定する。従って、ＤＡＰ２からのオーディオデータをスイッチ１Ｅ、ホストコントローラ１Ｂ、スイッチ１Ｆを介して増幅装置４に出力することができる。スイッチ１Ｅにコネクタ１Ｊとホストコントローラ１Ｂとを接続させるので、ＰＣ３が接続されていない又は電源オフ状態である場合でも、ホストコントローラ１ＢからＤＡＰ２に充電コマンドが送信され、ＤＡＰ２を充電させることができる。
【００４８】
Ｓ２〜Ｓ５では、ＤＡＰ２およびＰＣ３のクレードル１への接続状態に応じてマイコン１Ａがスイッチ１Ｅ、１Ｆを切り換える。マイコン１Ａは、コネクタ１ＪにＤＡＰ２から接続検出信号が供給されているか否かを判断することにより、ＤＡＰ２がコネクタ１Ｊに接続されているか否かを判断する（Ｓ２）。ＤＡＰ２が接続されている場合（Ｓ２でＹＥＳ）、マイコン１Ａは、スイッチ１Ｅにコネクタ１Ｊとホストコントローラ１Ｂとを接続させ、スイッチ１Ｆにホストコントローラ１Ｂと出力端子１Ｌとを接続させる。つまり、マイコン１Ａは、ＤＡＰ再生状態に設定する（Ｓ３）。従って、ＤＡＰ２からのオーディオデータがスイッチ１Ｅ、ホストコントローラ１Ｂ、スイッチ１Ｆを介して増幅装置４に出力される。その後、処理はＳ６に進む。この場合、ホストコントローラ１ＢからＤＡＰ２に充電コマンドが送信され、ＤＡＰ２を充電させることができる。
【００４９】
ＤＡＰ２が接続されていない場合（Ｓ２でＮＯ）、マイコン１Ａは、ＰＣ３からＶＢＵＳが供給されているか否かを判断することにより、ＰＣ３がＵＳＢ端子１Ｋに接続され、かつ、ＰＣ３が電源オン状態であるかを判断する（Ｓ４）。ＰＣ３が接続され、かつ、電源オン状態である場合（Ｓ４でＹＥＳ）、マイコン１Ａは、スイッチ１Ｅにコネクタ１Ｊとホストコントローラ１Ｂとを接続させ、スイッチ１Ｆにオーディオ処理部１Ｄと出力端子１Ｌとを接続させる。つまり、マイコン１Ａは、ＰＣ再生状態に設定する（Ｓ５）。従って、ＰＣ３からのオーディオデータがハブ１Ｃ、オーディオ処理部１Ｄ、スイッチ１Ｆを介して増幅装置４に出力される。その後、処理はＳ６に進む。この場合、ホストコントローラ１ＢからＤＡＰ２に充電コマンドが送信され、ＤＡＰ２を充電させることができる。なお、スイッチ１Ｅにコネクタ１Ｊとハブ１Ｃとを接続させ、ＰＣ３のホストコントローラ３ＡからＤＡＰ２に充電コマンドを送信することにより、ＤＡＰ２を充電させてもよい。一方、ＰＣ３が接続されていない、又は、ＰＣ３が電源オフ状態である場合（Ｓ４でＮＯ）、スイッチ１Ｅ、１Ｆを切り換えずに（初期状態のままで）Ｓ６に進む。
【００５０】
Ｓ６〜Ｓ１３では、ＤＡＰ再生状態に移行する指示およびＰＣ再生状態に移行する指示に応じてマイコン１Ａがスイッチ１Ｅ、１Ｆを切り換える。マイコン１Ａは、ＤＡＰ再生状態に移行する指示が入力されたか否かを判断している（Ｓ６）。例えば、ＤＡＰボタン２１が操作されたか否かが判断される。ＤＡＰ再生状態に移行する指示が入力されていない場合（Ｓ６でＮＯ）、処理はＳ１０に進む。ＤＡＰ再生状態に移行する指示が入力された場合（Ｓ６でＹＥＳ）、マイコン１Ａは、上記と同様に、ＤＡＰ２がコネクタ１Ｊに接続されているか否かを判断する（Ｓ７）。ＤＡＰ２が接続されている場合（Ｓ７でＹＥＳ）、マイコン１Ａは、スイッチ１Ｅにコネクタ１Ｊとホストコントローラ１Ｂとを接続させ、スイッチ１Ｆにホストコントローラ１Ｂと出力端子１Ｌとを接続させる。つまり、マイコン１Ａは、ＤＡＰ再生状態に設定する（Ｓ８）。従って、ＤＡＰ２からのオーディオデータがスイッチ１Ｅ、ホストコントローラ１Ｂ、スイッチ１Ｆを介して増幅装置４に出力される。その後、処理はＳ１０に進む。この場合、ホストコントローラ１ＢからＤＡＰ２に充電コマンドが送信され、ＤＡＰ２を充電させることができる。一方、ＤＡＰ２が接続されていない場合（Ｓ７でＮＯ）、マイコン１Ａは、スイッチ１Ｅ、１Ｆを切り換えさせず、図示しないＬＥＤを点滅させることにより、エラーをユーザに告知する（Ｓ９）。例えば、ＰＣ再生状態において、ＤＡＰ２が接続されていないときに、ユーザ誤操作によって、ＤＡＰ再生状態に移行する指示が入力された場合、ＤＡＰ再生状態に移行してしまうと、ＰＣ３からのオーディオデータの再生が中断されてしまうが、本例ではこのような問題を解決できる。
【００５１】
マイコン１Ａは、ＰＣ再生状態に移行する指示が入力されたか否かを判断する（Ｓ１０）。例えば、ＰＣボタン２２が操作されたか否かが判断される。ＰＣ再生状態に移行する指示が入力されない場合（Ｓ１０でＮＯ）、処理はＳ１４に進む。ＰＣ再生状態に移行する指示が入力された場合（Ｓ１０でＹＥＳ）、マイコン１Ａは、上記と同様に、ＰＣ３がＵＳＢ端子１Ｋに接続され、かつ、電源オン状態であるか否かを判断する（Ｓ１１）。ＰＣ３が接続され、かつ、電源オン状態である場合（Ｓ１１でＹＥＳ）、マイコン１Ａは、スイッチ１Ｅにコネクタ１Ｊとホストコントローラ１Ｂとを接続させ、スイッチ１Ｆにオーディオ処理部１Ｄと出力端子１Ｌとを接続させる。つまり、マイコン１Ａは、ＰＣ再生状態に設定する（Ｓ１２）。従って、ＰＣ３からのオーディオデータがハブ１Ｃ、オーディオ処理部１Ｄ、スイッチ１Ｆを介して増幅装置４に出力される。その後、処理はＳ１４に進む。この場合、ホストコントローラ１ＢからＤＡＰ２に充電コマンドが送信され、ＤＡＰ２を充電させることができる。なお、スイッチ１Ｅにコネクタ１Ｊとハブ１Ｃとを接続させ、ＰＣ３のホストコントローラ３ＡからＤＡＰ２に充電コマンドを送信することにより、ＤＡＰ２を充電させてもよい。一方、ＰＣ３が接続されていない、又は、ＰＣ３が電源オフ状態である場合（Ｓ１１でＮＯ）、マイコン１Ａは、スイッチ１Ｅ、１Ｆを切り換えさせず、図示しないＬＥＤを点滅させることにより、エラーをユーザに告知する（Ｓ１３）。例えば、ＤＡＰ再生状態において、ＰＣ３が接続されていないときに、ユーザ誤操作によって、ＰＣ再生状態に移行する指示が入力された場合、もしＰＣ再生状態に移行してしまうと、ＤＡＰ２からのオーディオデータの再生が中断されてしまうが、本例ではこのような問題を解決できる。
【００５２】
次に、マイコン１Ａは、ＤＡＰ２からの再生開始通知に基づいて、ＤＡＰ２がオーディオデータを再生開始したか否かを判断する（Ｓ１４）。スイッチ１Ｅがコネクタ１Ｊとホストコントローラ１Ｂとを接続している場合、ＤＡＰ２が再生開始すると、ホストコントローラ１Ｂは再生開始通知を受信することができるので、これをマイコン１Ａに転送する。ＤＡＰ２が再生開始した場合（Ｓ１４でＹＥＳ）、マイコン１Ａは、スイッチ１Ｆにホストコントローラ１Ｂと出力端子１Ｌとを接続させる。つまり、マイコン１Ａは、ＤＡＰ再生状態に設定する（Ｓ１５）。従って、ＤＡＰ２からのオーディオデータがスイッチ１Ｅ、ホストコントローラ１Ｂ、スイッチ１Ｆを介して増幅装置４に出力される。その後、処理はＳ２に戻る。この場合、ホストコントローラ１ＢからＤＡＰ２に充電コマンドが送信されることにより、ＤＡＰ２を充電させることができる。
【００５３】
以上の処理によって、ユーザの作業によってクレードル１、ＤＡＰ２、ＰＣ３、増幅装置４の接続／接続解除を実行する必要なく、ＤＡＰ再生状態及びＰＣ再生状態を切り換えることができる。なお、Ｓ６におけるＤＡＰ再生状態に移行する指示およびＳ１０におけるＰＣ再生状態に移行する指示は、ボタン操作に限定されず、リモコン送信機６からのリモコン信号又は増幅装置４から供給される制御信号であってもよい。
【００５４】
図１０は、記録動作状態に移行する又は解除するマイコン１Ａの動作を示す。ＤＡＰ再生状態およびＰＣ再生状態のいずれの状態であっても、記録動作状態に移行することができる。マイコン１Ａは、記録動作状態に移行する指示が入力されたか否かを判断する（Ｓ２１）。例えば、ＲＥＣボタン２３が短押しされたか否かが判断される。記録動作状態に移行する指示が入力されない場合（Ｓ２１でＮＯ）、処理はＳ２７に進む。記録動作状態に移行する指示が入力された場合（Ｓ２１でＹＥＳ）、マイコン１Ａは、上記と同様に、ＤＡＰ２がコネクタ１Ｊに接続されているか否かを判断する（Ｓ２２）。ＤＡＰ２１が接続されていない場合（Ｓ２２でＮＯ）、マイコン１Ａは、スイッチ１Ｅにコネクタ１Ｊとハブ１Ｃとを接続させずに、エラーをユーザに告知する（Ｓ２６）。つまり、記録動作状態に移行しない。ＤＡＰ２が接続されている場合（Ｓ２２でＹＥＳ）、マイコン１Ａは、上記と同様に、ＰＣ３がＵＳＢ端子１Ｋに接続され、かつ、ＰＣ３が電源オン状態であるか否かを判断する（Ｓ２３）。ＰＣ３が接続されていない、又は、電源オフ状態で場合（Ｓ２３でＮＯ）、マイコン１Ａは、スイッチ１Ｅにコネクタ１Ｊとハブ１Ｃとを接続させずに、エラーをユーザに告知する（Ｓ２６）。つまり、記録動作状態に移行しない。ＰＣ３が接続されていない、又は、電源オフ状態の場合に、スイッチ１Ｅがコネクタ１Ｊとハブ１Ｃとを接続すると、ＤＡＰ２に充電コマンドを送信できなくなり、ＤＡＰ２を充電できなくなるが、本例ではこの問題を解決できる。
【００５５】
ＰＣ３が接続され、かつ、電源オン状態である場合（Ｓ２３でＹＥＳ）、マイコン１Ａは、スイッチ１Ｅにコネクタ１Ｊとハブ１Ｃとを接続させる。つまり、マイコン１Ａは、記録動作状態に設定する（Ｓ２４）。従って、ＤＡＰ２とＰＣ３とがＵＳＢを介して通信することにより、ＰＣ３からのオーディオファイルがハブ１Ｃ、スイッチ１Ｅを介してＤＡＰ２に転送され、ＤＡＰ２に記録される。この場合、ホストコントローラ１Ｂから充電コマンドをＤＡＰ２に送信できなくなるが、ＰＣ３のホストコントローラ３ＡからＤＡＰ２に充電コマンドが送信されることにより、ＤＡＰ２を充電させることができる。
【００５６】
マイコン１Ａは、スイッチ１Ｆにオーディオ処理部１Ｄと出力端子１Ｌとを接続させる。つまり、マイコン１Ａは、ＰＣ再生状態に設定する（Ｓ２５）。従って、ＰＣ３からのオーディオデータがハブ１Ｃ、オーディオ処理部１Ｄ、スイッチ１Ｆを介して増幅装置４に出力される。このように、記録動作状態に設定されるときには、スイッチ１Ｅがコネクタ１Ｊとハブ１Ｃとを接続しており、ＤＡＰ２のオーディオデータを受信し増幅装置４に送信することはできないので、ＰＣ再生状態に自動的に設定される。従って、ＰＣ３のオーディオファイルをＤＡＰ２に転送し、ＤＡＰ２に記録しながら、ＰＣ３からのオーディオデータを増幅装置４で再生することができる。つまり、ユーザがＰＣ３のオーディオを聞きながら、オーディオファイルをＤＡＰ２に記録できる。
【００５７】
マイコン１Ａは、記録動作状態を解除する指示が入力された否かを判断する（Ｓ２７）。例えば、ＲＥＣボタン２３が長押しされたか否かを判断する。記録動作状態を解除する指示が入力されない場合（Ｓ２７でＮＯ）、処理はＳ２１に戻る。記録動作状態を解除する指示が入力された場合（Ｓ２７でＹＥＳ）、マイコン１Ａは、スイッチ１Ｅにコネクタ１Ｊとホストコントローラ１Ｂとを接続させる。つまり、マイコン１Ａは記録動作状態を解除し、ＰＣ３とＤＡＰ２とがＵＳＢを介して通信せず、ＰＣ３からのオーディオファイルがＤＡＰ２に転送されないようにする（Ｓ２８）。この場合、ホストコントローラ１ＢからＤＡＰ２に充電コマンドが送信されることにより、ＤＡＰ２を充電させることができる。
【００５８】
なお、記録動作状態の解除後も、スイッチ１Ｆはオーディオ処理部１Ｄと出力端子１Ｌとの接続状態を維持する。従って、ユーザが、ＰＣ３のオーディオファイルをＤＡＰ２に転送し、ＤＡＰ２に記録させながら、ＰＣ３のオーディオデータを増幅装置４で再生して聴いている際に、記録動作状態を解除したことにより、ＰＣ３からのオーディオデータが増幅装置４から再生されなくなることを防止できる。記録動作状態の解除後に、ＤＡＰ２からのオーディオデータを増幅装置４で再生する場合には、図９の処理において、Ｓ６でＤＡＰ再生状態に移行する指示を入力する、又は、Ｓ１４でＤＡＰ２が再生開始することにより実行できる。
【００５９】
以上の処理によって、ユーザ作業としてクレードル１、ＤＡＰ２、ＰＣ３、増幅装置４の接続／接続解除を実行することなく、記録動作状態への移行およびその解除、ＰＣ再生状態からＤＡＰ再生状態への切り換えを実行することができる。なお、Ｓ２１における記録動作状態に移行する指示およびＳ２７における記録動作状態を解除する指示は、ボタン操作に限定されず、リモコン送信機６からのリモコン信号又は増幅装置４から供給される制御信号であってもよい。
【００６０】
ここで、記録動作状態において、記録動作状態を解除する指示が入力されることなく、ユーザによりＰＣ３がＵＳＢ端子１Ｋから接続解除される、又は、ＰＣ３の電源がオフ状態にされる、又は、ＤＡＰ２とＰＣ３との間にＵＳＢの通信障害が生じた場合、スイッチ１Ｅは未だコネクタ１Ｊとハブ１Ｃとを接続しているにも関わらず、ＰＣ３のホストコントローラ３Ａから充電コマンドがＤＡＰ２に供給されなくなり、ＤＡＰ２を充電できなくなる。そこで、図１１に示すように、マイコン１Ａは、積分回路３２からの信号がハイレベルであるか否かを判断する（Ｓ３１）。すなわち、マイコン１は、ハブ１ＣにＤＡＰ２および電源オン状態のＰＣ３が接続されているか否かを判断する。ハイレベルでなければ（Ｓ３１でＮＯ）、マイコン１Ａは、スイッチ１Ｅにコネクタ１Ｊとホストコントローラ１Ｂとを接続させる。従って、ホストコントローラ１ＢからＤＡＰ２に充電コマンドが送信され、ＤＡＰ２を充電させることができる。
【００６１】
以上、本発明の好ましい実施形態を説明したが、本発明はこれらの実施形態には限定されない。ＤＡＰ２が充電コマンドを受信できずに充電できなくなるという問題を解決するという観点から言えば、クレードル１は、ＰＣ再生状態を有さずに、ＤＡＰ再生状態および記録動作状態のみを有していてもよく、この場合、図１２に示すように、クレードル１は、ＵＳＢハブ１Ｃと、オーディオ処理部１Ｄと、スイッチ１Ｆとを備えなくてもよい。つまり、スイッチ１Ｅは、ＵＳＢ端子（第２接続部）１Ｋに直接接続されており、ホストコントローラ１Ｂは出力端子１Ｌに直接接続されるとよい。また、クレードル１は、記録動作状態を有さずに、ＤＡＰ再生状態およびＰＣ再生状態のみを有していてもよい。この場合、図１３に示すように、クレードル１は、ＵＳＢハブ１Ｃと、スイッチ１Ｅとを備えなくてもよい。また、クレードル１は、ＰＣ３に内蔵されていてもよく、又は、増幅装置４に内蔵されていてもよい。また、オーディオデータの代わりに映像データや静止画データでもよく、これらを総称してコンテンツデータという。コンテンツデータを所定フォーマットでエンコードしたものをコンテンツファイルという。また、オーディオ処理部１ＤがオーディオデータをＤＡ変換する場合、アナログのオーディオ信号が増幅装置４に出力される。また、オーディオ処理部１Ｄがクレードル１に内蔵されておらず、クレードル１と増幅装置４との間に接続されてもよい。また、本発明は、上記の動作をコンピュータに実行させるためのコンピュータプログラムという形態で提供することもできる。携帯型コンテンツ再生装置は、携帯電話、ポータブルカーナビ、ポータブルＴＶ、ポータブルＣＤプレーヤ、携帯ゲーム機等でもよい。
【産業上の利用可能性】
【００６２】
本発明は、携帯型コンテンツ再生装置のクレードルに好適に採用され得る。
【符号の説明】
【００６３】
１              クレードル
１Ａ            マイコン（スイッチ制御手段）
１Ｂ            ホストコントローラ
１Ｃ            ＵＳＢハブ
１Ｄ            オーディオ処理部（下流側デバイス）
１Ｅ            スイッチ（第１スイッチ）
１Ｆ            スイッチ（第２スイッチ）
１Ｇ            電源部
１Ｈ            リモコン受信部
１Ｉ            操作部
１Ｊ            ＤＡＰ接続コネクタ（第１接続部）
１Ｌ            出力端子
１Ｍ            制御信号入出力端子
２              携帯型コンテンツ再生装置
３              ＰＣ（コンピュータ）
３Ａ            ホストコントローラ
３１            ＬＥＤ（発光素子）
３２            積分回路
【図１】
2011040030.tif 000003
【図２】
2011040030.tif 000004
【図３】
2011040030.tif 000005
【図４】
2011040030.tif 000006
【図５】
2011040030.tif 000007
【図６】
2011040030.tif 000008
【図７】
2011040030.tif 000009
【図８】
2011040030.tif 000010
【図９】
2011040030.tif 000011
【図１０】
2011040030.tif 000012
【図１１】
2011040030.tif 000013
【図１２】
2011040030.tif 000014
【図１３】
2011040030.tif 000015
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
コントローラと通信しているとき充電動作を実行し、コントローラと通信していないとき充電動作を実行しない携帯型コンテンツ再生装置に充電用の電源電圧を供給するクレードルであって、
前記携帯型コンテンツ再生装置が接続可能な第１接続部と、
第２コントローラを備えるコンピュータが接続可能な第２接続部と、
前記携帯型コンテンツ再生装置を制御する第１コントローラと、
前記第１接続部と前記第１コントローラとを接続するか、又は、前記第１接続部と前記第２接続部とを接続するかを切り換える第１スイッチと、
前記第１スイッチを切り換え制御するスイッチ制御部とを備え、
前記スイッチ制御部が前記第１スイッチに前記第１接続部と前記第１コントローラとを接続させるとき、前記第１コントローラに前記携帯型コンテンツ再生装置と通信させ、
前記スイッチ制御部が前記第１スイッチに前記第１接続部と前記第２接続部とを接続させるとき、前記第２コントローラに前記携帯型コンテンツ再生装置と通信させる、クレードル。
【請求項２】
コンテンツデータを出力する出力部と、
前記第２接続部、前記第１スイッチ及び第２スイッチに接続されているハブと、
前記出力部と前記第１コントローラとを接続するか、又は、前記出力部と前記ハブとを接続するかを切り換える前記第２スイッチとをさらに備え、
前記第１スイッチが、前記第１接続部と前記第１コントローラとを接続するか、又は、前記第１接続部と前記ハブとを接続するかを切り換え、
前記スイッチ制御部が、前記第１スイッチ及び前記第２スイッチを切り換え制御し、
前記スイッチ制御部が前記第１スイッチに前記第１接続部と前記ハブとを接続させるとき、前記第２コントローラに前記携帯型コンテンツ再生装置と通信させる、請求項１に記載のクレードル。
【請求項３】
前記ハブが、前記携帯型コンテンツ再生装置および前記コンピュータが前記ハブに接続されていることを検出しているときに発光素子を発光制御するための発光制御信号を出力し、
前記スイッチ制御部が、前記ハブから出力される発光制御信号に基づいて、前記携帯型コンテンツ再生装置および前記コンピュータが前記ハブに接続されているか否かを判断し、接続されていないと判断した場合に、前記第１スイッチに前記第１接続部と前記第１コントローラとを接続させる、請求項２に記載のクレードル。
【請求項４】
前記ハブから出力される発光制御信号がＰＷＭ信号であり、
前記発光制御信号を積分し、前記携帯型コンテンツ再生装置および前記コンピュータが前記ハブに接続されているときに第１レベルであり、前記携帯型コンテンツ再生装置および／または前記コンピュータが前記ハブに接続されていないときに第２レベルである制御信号を生成し、前記スイッチ制御部に供給する積分回路をさらに備え、
前記スイッチ制御部が、前記積分回路から供給される制御信号に基づいて、前記携帯型コンテンツ再生装置および前記コンピュータが前記ハブに接続されているか否かを判断する、請求項３に記載のクレードル。
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
コントローラと通信しているとき充電動作を実行し、コントローラと通信していないとき充電動作を実行しない携帯型コンテンツ再生装置に充電用の電源電圧を供給するクレードルであって、
前記携帯型コンテンツ再生装置が接続可能な第１接続部と、
第２コントローラを備えるコンピュータが接続可能な第２接続部と、
前記携帯型コンテンツ再生装置を制御する第１コントローラと、
前記第１接続部と前記第１コントローラとを接続するか、又は、前記第１接続部と前記第２接続部とを接続するかを切り換える第１スイッチと、
電源オン状態である前記コンピュータが前記第２接続部に接続されているか否かを判断する判断部と、
前記判断部の判断結果に基づいて、前記第１スイッチを切り換え制御するスイッチ制御部とを備え、
電源オン状態である前記コンピュータが前記第２接続部に接続されていないと判断された場合、前記スイッチ制御部が前記第１スイッチに前記第１接続部と前記第１コントローラとを接続させることにより、前記第１コントローラに前記携帯型コンテンツ再生装置と通信させ、
前記スイッチ制御部が前記第１スイッチに前記第１接続部と前記第２接続部とを接続させるとき、前記第２コントローラに前記携帯型コンテンツ再生装置と通信させる、クレードル。
【請求項２】
コンテンツデータを出力する出力部と、
前記第２接続部、前記第１スイッチ及び第２スイッチに接続されているハブと、
前記出力部と前記第１コントローラとを接続するか、又は、前記出力部と前記ハブとを接続するかを切り換える前記第２スイッチとをさらに備え、
前記第１スイッチが、前記第１接続部と前記第１コントローラとを接続するか、又は、前記第１接続部と前記ハブとを接続するかを切り換え、
前記スイッチ制御部が、前記第１スイッチ及び前記第２スイッチを切り換え制御し、
前記スイッチ制御部が前記第１スイッチに前記第１接続部と前記ハブとを接続させるとき、前記第２コントローラに前記携帯型コンテンツ再生装置と通信させる、請求項１に記載のクレードル。
【請求項３】
前記ハブが、前記携帯型コンテンツ再生装置および前記コンピュータが前記ハブに接続されていることを検出しているときに発光素子を発光制御するための発光制御信号を出力し、
前記判断部が、前記ハブから出力される発光制御信号に基づいて、前記携帯型コンテンツ再生装置および前記コンピュータが前記ハブに接続されているか否かを判断し、接続されていないと判断した場合に、前記スイッチ制御部が、前記第１スイッチに前記第１接続部と前記第１コントローラとを接続させる、請求項２に記載のクレードル。
【請求項４】
前記ハブから出力される発光制御信号がＰＷＭ信号であり、
前記発光制御信号を積分し、前記携帯型コンテンツ再生装置および前記コンピュータが前記ハブに接続されているときに第１レベルであり、前記携帯型コンテンツ再生装置および／または前記コンピュータが前記ハブに接続されていないときに第２レベルである制御信号を生成し、前記判断部に供給する積分回路をさらに備え、
前記判断部が、前記積分回路から供給される制御信号に基づいて、前記携帯型コンテンツ再生装置および前記コンピュータが前記ハブに接続されているか否かを判断する、請求項３に記載のクレードル。
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
コントローラと通信しているとき充電動作を実行し、コントローラと通信していないとき充電動作を実行しない携帯型コンテンツ再生装置に充電用の電源電圧を供給するクレードルであって、
前記携帯型コンテンツ再生装置が接続可能な第１接続部と、
第２コントローラを備えるコンピュータが接続可能な第２接続部と、
前記携帯型コンテンツ再生装置を制御する第１コントローラと、
前記第１接続部と前記第１コントローラとを接続するか、又は、前記第１接続部と前記第２接続部とを接続するかを切り換える第１スイッチと、
電源オン状態である前記コンピュータが前記第２接続部に接続されているか否かを判断する判断部と、
前記判断部の判断結果に基づいて、前記第１スイッチを切り換え制御するスイッチ制御部とを備え、
電源オン状態である前記コンピュータが前記第２接続部に接続されていないと判断された場合、前記スイッチ制御部が前記第１スイッチに前記第１接続部と前記第１コントローラとを接続させることにより、前記第１コントローラに前記携帯型コンテンツ再生装置と通信させ、
電源オン状態である前記コンピュータが前記第２接続部に接続されていると判断された場合、前記スイッチ制御部が前記第１スイッチに前記第１接続部と前記第２接続部とを接続させることにより、前記第２コントローラに前記携帯型コンテンツ再生装置と通信させる、クレードル。
【請求項２】
コンテンツデータを出力する出力部と、
前記第２接続部、前記第１スイッチ及び第２スイッチに接続されているハブと、
前記出力部と前記第１コントローラとを接続するか、又は、前記出力部と前記ハブとを接続するかを切り換える前記第２スイッチとをさらに備え、
前記第１スイッチが、前記第１接続部と前記第１コントローラとを接続するか、又は、前記第１接続部と前記ハブとを接続するかを切り換え、
前記スイッチ制御部が、前記第１スイッチ及び前記第２スイッチを切り換え制御し、
前記スイッチ制御部が前記第１スイッチに前記第１接続部と前記ハブとを接続させるとき、前記第２コントローラに前記携帯型コンテンツ再生装置と通信させる、請求項１に記載のクレードル。
【請求項３】
前記ハブが、前記携帯型コンテンツ再生装置および前記コンピュータが前記ハブに接続されていることを検出しているときに発光素子を発光制御するための発光制御信号を出力し、
前記判断部が、前記ハブから出力される発光制御信号に基づいて、前記携帯型コンテンツ再生装置および前記コンピュータが前記ハブに接続されているか否かを判断し、接続されていないと判断した場合に、前記スイッチ制御部が、前記第１スイッチに前記第１接続部と前記第１コントローラとを接続させる、請求項２に記載のクレードル。
【請求項４】
前記ハブから出力される発光制御信号がＰＷＭ信号であり、
前記発光制御信号を積分し、前記携帯型コンテンツ再生装置および前記コンピュータが前記ハブに接続されているときに第１レベルであり、前記携帯型コンテンツ再生装置および／または前記コンピュータが前記ハブに接続されていないときに第２レベルである制御信号を生成し、前記判断部に供給する積分回路をさらに備え、
前記判断部が、前記積分回路から供給される制御信号に基づいて、前記携帯型コンテンツ再生装置および前記コンピュータが前記ハブに接続されているか否かを判断する、請求項３に記載のクレードル。
【請求項５】
前記判断部が、ユーザ操作に基づいて前記コンピュータに記録されているコンテンツを前記携帯型コンテンツ再生装置に転送し、前記携帯型コンテンツ再生装置に記録させる指示が入力された場合に、電源オン状態である前記コンピュータが前記第２接続部に接続されているか否かを判断し、
電源オン状態である前記コンピュータが前記第２接続部に接続されていると判断された場合、前記スイッチ制御部が前記第１スイッチに前記第１接続部と前記第２接続部とを接続させることにより、前記コンピュータに記録されているコンテンツを前記携帯型コンテンツ再生装置に転送し、前記携帯型コンテンツ再生装置に記録させ、かつ、前記第２コントローラに前記携帯型コンテンツ再生装置と通信させる、請求項１に記載のクレードル。